(57)【要約】【課題】必要に応じて観察者に対して間仕切りパネルの向こう側の光景を視認できなくすることができ、比較的安価であり、間仕切りパネルのデザインの制限が少なく、間仕切りパネルの設置作業が比較的簡便であり、間仕切りパネルの設置箇所の制限が少ない間仕切りシステム；および該間仕切りシステムを実現できる間仕切りパネルを提供する。【解決手段】第１の面Ａおよびこれとは反対側の第２の面Ｂを有する透明な間仕切りパネル１であって、第１の面Ａと第２の面Ｂとの間に、表面に凹凸構造を有する第１の透明層３２と、第１の透明層３２の凹凸構造側の面に沿うように形成された、入射した光の一部を透過する反射膜３３と、反射膜３３の表面を覆うように設けられた、屈折率が第１の透明層３２の屈折率と同じ第２の透明層３４とを有し、透過率が１％以上であり、拡散反射率が１％以上であり、前方ヘーズが５０％以下である間仕切りパネル１を用いる。【選択図】図３
2016089534.tif 000002
【特許請求の範囲】
【請求項１】
第１の面およびこれとは反対側の第２の面を有する透明な間仕切りパネルであって、
前記第１の面と前記第２の面との間に、
表面に凹凸構造を有する第１の透明層と、
前記第１の透明層の凹凸構造側の面に沿うように形成された、入射した光の一部を透過する反射膜と、
前記反射膜の表面を覆うように設けられた、屈折率が第１の透明層の屈折率と実質的に同じ第２の透明層と
を有し、
透過率が、１％以上であり、
拡散反射率が、１％以上であり、
前方ヘーズが、５０％以下である、間仕切りパネル。
【請求項２】
前記第１の透明層の表面の凹凸構造が、不規則な凹凸構造である、請求項１に記載の間仕切りパネル。
【請求項３】
請求項１または２に記載の間仕切りパネルと、
前記間仕切りパネルの前記第１の面側に設置された、前記間仕切りパネルに光を照射する第１の光源と
を備えた、間仕切りシステム。
【請求項４】
前記第１の光源の全光束ΦＬ１と、前記間仕切りパネルの前記第２の面側の空間を明るくするために設置された照明のうち最も間仕切りパネルに近い照明の全光束ΦＩ２と、前記間仕切りパネルの非拡散透過率Ｔ０とが、下式（１）の関係を満足する、請求項３に記載の間仕切りシステム。
ΦＬ１≧ΦＩ２×（Ｔ０／１００）／２  ・・・（１）
【請求項５】
前記間仕切りパネルの前記第２の面側に設置された、前記間仕切りパネルに光を照射する第２の光源をさらに備えた、請求項３または４に記載の間仕切りシステム。
【請求項６】
前記第２の光源の全光束ΦＬ２と、前記間仕切りパネルの前記第１の面側の空間を明るくするために設置された照明のうち最も間仕切りパネルに近い照明の全光束ΦＩ１と、前記間仕切りパネルの非拡散透過率Ｔ０とが、下式（２）の関係を満足する、請求項５に記載の間仕切りシステム。
ΦＬ２≧ΦＩ１×（Ｔ０／１００）／２  ・・・（２）
【請求項７】
第１の面およびこれとは反対側の第２の面を有する間仕切りパネルであって、
前記第１の面と前記第２の面との間に、光散乱材料を含む光散乱層を有し、
透過率が、１％以上であり、
前方ヘーズが、９〜５０％である、間仕切りパネル。
【請求項８】
請求項７に記載の間仕切りパネルと、
前記間仕切りパネルの前記第１の面側に設置された、前記間仕切りパネルに光を照射する第１の光源と
を備えた、間仕切りシステム。
【請求項９】
前記第１の光源の全光束ΦＬ１と、前記間仕切りパネルの前記第１の面側の空間を明るくするために設置された照明のうち最も間仕切りパネルに近い照明の全光束ΦＩ１とが、下式（３）の関係を満足する、請求項８に記載の間仕切りシステム。
ΦＬ１≧ΦＩ１／１０  ・・・（３）
【請求項１０】
前記間仕切りパネルの前記第２の面側に設置された、前記間仕切りパネルに光を照射する第２の光源をさらに備えた、請求項８または９に記載の間仕切りシステム。
【請求項１１】
前記第２の光源の全光束ΦＬ２と、前記間仕切りパネルの前記第２の面側の空間を明るくするために設置された照明のうち最も間仕切りパネルに近い照明の全光束ΦＩ２とが、下式（４）の関係を満足する、請求項１０に記載の間仕切りシステム。
ΦＬ２≧ΦＩ２／１０  ・・・（４）
【請求項１２】
第１の面およびこれとは反対側の第２の面を有する間仕切りパネルであって、
前記第１の面と前記第２の面との間に、
入射した光の一部を透過する反射膜と、
光散乱材料を含む光散乱層と
を有し、
透過率が、１％以上であり、
拡散反射率が、１％以上であり、
前方ヘーズが、９〜５０％である、間仕切りパネル。
【請求項１３】
請求項１２に記載の間仕切りパネルと、
前記間仕切りパネルの前記第１の面側に設置された、前記間仕切りパネルに光を照射する第１の光源と
を備えた、間仕切りシステム。
【請求項１４】
前記第１の光源の全光束ΦＬ１と、前記間仕切りパネルの前記第２の面側の空間を明るくするために設置された照明のうち最も間仕切りパネルに近い照明の全光束ΦＩ２と、前記間仕切りパネルの非拡散透過率Ｔ０とが、下式（１）の関係を満足し、
前記第１の光源の全光束ΦＬ１と、前記間仕切りパネルの前記第１の面側の空間を明るくするために設置された照明のうち最も間仕切りパネルに近い照明の全光束ΦＩ１とが、下式（３）の関係を満足する、請求項１３に記載の間仕切りシステム。
ΦＬ１≧ΦＩ２×（Ｔ０／１００）／２  ・・・（１）
ΦＬ１≧ΦＩ１／１０  ・・・（３）
【発明の詳細な説明】
【技術分野】
【０００１】
本発明は、建築物の内部空間を仕切るための透明な間仕切りパネル、および必要に応じて観察者に対して間仕切りパネルの向こう側の光景を視認できなくする間仕切りシステムに関する。
【背景技術】
【０００２】
建築物の内部空間を仕切るための間仕切りとしては、ガラス等の透明部材を備えた透明な間仕切りがある。透明な間仕切りにおいては、プライバシー保護、秘密保護、セキュリティ等のために、必要に応じて観察者に対して間仕切りの向こう側の光景を視認できなくすることが求められることがある。
【０００３】
必要に応じて観察者に対して間仕切りの向こう側の光景を視認できなくする間仕切りとしては、たとえば、下記のものが知られている。
（１）高分子分散型液晶からなる調光層を有する調光シートを備えた間仕切り（特許文献１参照）。該間仕切りにおいては、調光層への電圧の印加の有無によって、調光層に入射する光の透過と散乱とを制御し、光を散乱させることによって、観察者に対して間仕切りの向こう側の光景を視認できなくする。
（２）複数の透明なＥＬ素子を格子状に配置したパネル体を備えた間仕切り（特許文献２参照）。該間仕切りにおいては、ＥＬ素子が消灯しているときには、観察者側から見て透明部材の向こう側に見える光景を視認でき、ＥＬ素子が点灯しているときには、ＥＬ素子からの強い光によって観察者に対して透明部材の向こう側の光景を視認できなくする。
【０００４】
しかし、（１）の間仕切りおよび（２）の間仕切りとも、下記の問題を有する。
（ｉ）調光シートまたはＥＬ素子が高価である。
（ｉｉ）調光層またはＥＬ素子を駆動および制御するための制御装置を間仕切り内に設ける必要があり、間仕切りのデザインに制限がある。
（ｉｉｉ）間仕切りへの電源供給や間仕切りの操作のための配線を設ける必要があり、間仕切りの設置作業が煩雑であり、また、間仕切りの設置箇所に制限がある。
【先行技術文献】
【特許文献】
【０００５】
【特許文献１】特開平０７−２３９４６５号公報
【特許文献２】特開２０１２−０１２９１５号公報
【発明の概要】
【発明が解決しようとする課題】
【０００６】
本発明は、必要に応じて観察者に対して間仕切りパネルの向こう側の光景を視認できなくすることができ、比較的安価であり、間仕切りパネルのデザインの制限が少なく、間仕切りパネルの設置作業が比較的簡便であり、間仕切りパネルの設置箇所の制限が少ない間仕切りシステム；および該間仕切りシステムを実現できる間仕切りパネルを提供する。
【課題を解決するための手段】
【０００７】
本発明は、以下の態様を有する。
［１］第１の面およびこれとは反対側の第２の面を有する透明な間仕切りパネルであって、前記第１の面と前記第２の面との間に、表面に凹凸構造を有する第１の透明層と、前記第１の透明層の凹凸構造側の面に沿うように形成された、入射した光の一部を透過する反射膜と、前記反射膜の表面を覆うように設けられた、屈折率が第１の透明層の屈折率と実質的に同じ第２の透明層とを有し、透過率が、１％以上であり、拡散反射率が、１％以上であり、前方ヘーズが、５０％以下である、間仕切りパネル。
［２］前記第１の透明層の表面の凹凸構造が、不規則な凹凸構造である、［１］の間仕切りパネル。
［３］前記［１］または［２］の間仕切りパネルと、前記間仕切りパネルの前記第１の面側に設置された、前記間仕切りパネルに光を照射する第１の光源とを備えた、間仕切りシステム。
［４］前記第１の光源の全光束ΦＬ１と、前記間仕切りパネルの前記第２の面側の空間を明るくするために設置された照明のうち最も間仕切りパネルに近い照明の全光束ΦＩ２と、前記間仕切りパネルの非拡散透過率Ｔ０とが、下式（１）の関係を満足する、［３］の間仕切りシステム。
ΦＬ１≧ΦＩ２×（Ｔ０／１００）／２  ・・・（１）
［５］前記間仕切りパネルの前記第２の面側に設置された、前記間仕切りパネルに光を照射する第２の光源をさらに備えた、［３］または［４］の間仕切りシステム。
［６］前記第２の光源の全光束ΦＬ２と、前記間仕切りパネルの前記第１の面側の空間を明るくするために設置された照明のうち最も間仕切りパネルに近い照明の全光束ΦＩ１と、前記間仕切りパネルの非拡散透過率Ｔ０とが、下式（２）の関係を満足する、［５］の間仕切りシステム。
ΦＬ２≧ΦＩ１×（Ｔ０／１００）／２  ・・・（２）
【０００８】
［７］第１の面およびこれとは反対側の第２の面を有する間仕切りパネルであって、前記第１の面と前記第２の面との間に、光散乱材料を含む光散乱層を有し、透過率が、１％以上であり、前方ヘーズが、９〜５０％である、間仕切りパネル。
［８］前記［７］の間仕切りパネルと、前記間仕切りパネルの前記第１の面側に設置された、前記間仕切りパネルに光を照射する第１の光源とを備えた、間仕切りシステム。
［９］前記第１の光源の全光束ΦＬ１と、前記間仕切りパネルの前記第１の面側の空間を明るくするために設置された照明のうち最も間仕切りパネルに近い照明の全光束ΦＩ１とが、下式（３）の関係を満足する、［８］の間仕切りシステム。
ΦＬ１≧ΦＩ１／１０  ・・・（３）
［１０］前記間仕切りパネルの前記第２の面側に設置された、前記間仕切りパネルに光を照射する第２の光源をさらに備えた、［８］または［９］の間仕切りシステム。
［１１］前記第２の光源の全光束ΦＬ２と、前記間仕切りパネルの前記第２の面側の空間を明るくするために設置された照明のうち最も間仕切りパネルに近い照明の全光束ΦＩ２とが、下式（４）の関係を満足する、［１０］の間仕切りシステム。
ΦＬ２≧ΦＩ２／１０  ・・・（４）
【０００９】
［１２］第１の面およびこれとは反対側の第２の面を有する間仕切りパネルであって、前記第１の面と前記第２の面との間に、入射した光の一部を透過する反射膜と、光散乱材料を含む光散乱層とを有し、透過率が、１％以上であり、拡散反射率が、１％以上であり、前方ヘーズが、９〜５０％である、間仕切りパネル。
［１３］前記［１２］の間仕切りパネルと、前記間仕切りパネルの前記第１の面側に設置された、前記間仕切りパネルに光を照射する第１の光源とを備えた、間仕切りシステム。
［１４］前記第１の光源の全光束ΦＬ１と、前記間仕切りパネルの前記第２の面側の空間を明るくするために設置された照明のうち最も間仕切りパネルに近い照明の全光束ΦＩ２と、前記間仕切りパネルの非拡散透過率Ｔ０とが、下式（１）の関係を満足し、前記第１の光源の全光束ΦＬ１と、前記間仕切りパネルの前記第１の面側の空間を明るくするために設置された照明のうち最も間仕切りパネルに近い照明の全光束ΦＩ１とが、下式（３）の関係を満足する、［１３］の間仕切りシステム。
ΦＬ１≧ΦＩ２×（Ｔ０／１００）／２  ・・・（１）
ΦＬ１≧ΦＩ１／１０  ・・・（３）
【発明の効果】
【００１０】
本発明の間仕切りパネルによれば、必要に応じて観察者に対して間仕切りパネルの向こう側の光景を視認できなくすることができ、比較的安価であり、間仕切りパネルのデザインの制限が少なく、間仕切りパネルの設置作業が比較的簡便であり、間仕切りパネルの設置箇所の制限が少ない間仕切りシステムを実現できる。
本発明の間仕切りシステムは、必要に応じて観察者に対して間仕切りパネルの向こう側の光景を視認できなくすることができ、比較的安価であり、間仕切りパネルのデザインの制限が少なく、間仕切りパネルの設置作業が比較的簡便であり、間仕切りパネルの設置箇所の制限が少ない。
【図面の簡単な説明】
【００１１】
【図１】本発明の間仕切りシステムの第１の態様の一例を示す概略構成図および反射散乱型の間仕切りパネルの一例を示す層構成図である。
【図２】図１の間仕切りパネルの光散乱シートの製造工程の一例を示す断面図である。
【図３】図１の間仕切りシステムにおいて第１の光源から間仕切りパネルに光を照射した様子を示す図である。
【図４】図１の間仕切りシステムにおいて第２の光源から間仕切りパネルに光を照射した様子を示す図である。
【図５】図１の間仕切りシステムにおいて第１の光源および第２の光源から間仕切りパネルに光を照射した様子を示す図である。
【図６】反射散乱型の間仕切りパネルの他の例を示す層構成図である。
【図７】反射散乱型の間仕切りパネルの他の例を示す層構成図である。
【図８】本発明の間仕切りシステムの第２の態様の一例を示す概略構成図および透過散乱型の間仕切りパネルの他の例を示す層構成図である。
【図９】図８の間仕切りシステムにおいて第１の光源から間仕切りパネルに光を照射した様子を示す図である。
【図１０】図８の間仕切りシステムにおいて第２の光源から間仕切りパネルに光を照射した様子を示す図である。
【図１１】図８の間仕切りシステムにおいて第１の光源および第２の光源から間仕切りパネルに光を照射した様子を示す図である。
【図１２】透過散乱型の間仕切りパネルの他の例を示す層構成図である。
【図１３】本発明の間仕切りシステムの第３の態様の一例を示す概略構成図ならびに反射、透過両方向散乱型の間仕切りパネルの一例を示す層構成図である。
【図１４】図１３の間仕切りシステムにおいて第１の光源から間仕切りパネルに光を照射した様子を示す図である。
【発明を実施するための形態】
【００１２】
以下の用語の定義は、本明細書および特許請求の範囲にわたって適用される。
「第１の面」とは、間仕切りパネルの最表面であって、第１の光源から光が照射される側の表面を意味する。
「第２の面」とは、間仕切りパネルの最表面であって、第１の面とは反対側の表面を意味する。
「第１の面側（または第２の面側）の光景」とは、間仕切りパネルの第２の面側（または第１の面側）の空間にいる観察者から見て、間仕切りパネルの向こう側に見える像（主要対象物（商品、美術品、人物等）およびその背景等）を意味する。光景には、光源から照射された光が間仕切りパネルにおいて結像して表示される像は含まれない。
「凹凸構造」とは、複数の凸部、複数の凹部、または複数の凸部および凹部からなる凹凸形状を意味する。
「不規則な凹凸構造」とは、凸部または凹部が周期的に出現せず、かつ凸部または凹部の大きさが不揃いである凹凸構造を意味する。
「シート」は、枚葉のものであってもよく、連続した帯状のものであってもよい。
透過率は、第１の面側（または第２の面側）から入射した光に対して、第２の面側（または第１の面側）に拡散されずに透過した光および拡散されて透過した光の合計の割合であり、全光線透過率と同等である。ただし、入射した部位から大きく外れたり、部材端部から放出されたものは含まない。
非拡散透過率は、第１の面側（または第２の面側）から入射角０゜で入射した入射光に対する、第２の面側（または第１の面側）に透過した正透過光から０．０４４ｒａｄ（２．５°）以上それた透過光以外の透過光の割合（百分率）である。
拡散透過率は、第１の面側（または第２の面側）から入射角０゜で入射した入射光に対する、第２の面側（または第１の面側）に透過した正透過光から０．０４４ｒａｄ（２．５°）以上それた透過光の割合（百分率）である。
反射率は、第１の面（または第２の面）における正反射率と拡散反射率の和であり、全光線反射率と同等である。ただし、入射した部位から大きく外れたり、部材端部から放出されたものは含まない。
拡散反射率は、第１の面側（または第２の面側）から入射角０゜で入射した入射光に対する、第１の面側（または第２の面側）に反射した正反射光から０．０４４ｒａｄ（２．５°）以上それた反射光の割合（百分率）である。拡散反射率を測定する際には、測定対象の第１の面側（または第２の面側）とは反対側の第２の面側（または第１の面側）から光が入射しないように反対側の面に暗幕を被せる。
透過率、反射率、拡散反射率、屈折率は、ナトリウムランプのｄ線（波長５８９ｎｍ）を用いて室温で測定したときの値である。
前方ヘーズは、第１の面側から第２の面側に透過する透過光、または第２の面側から第１の面側に透過する透過光のうち、前方散乱によって、入射光から０．０４４ｒａｄ（２．５°）以上それた透過光の百分率である。すなわち、ＪＩＳ  Ｋ  ７１３６：２０００（ＩＳＯ  １４７８２：１９９９）に記載された方法によって測定される、通常のヘーズである。
後方ヘーズは、第１の面または第２の面において反射する反射光のうち、散乱によって、正反射光から０．０４４ｒａｄ（２．５°）以上それた反射光の百分率を意味する。
算術平均粗さ（Ｒａ）は、ＪＩＳ  Ｂ  ０６０１：２０１３（ＩＳＯ  ４２８７：１９９７，Ａｍｄ．１：２００９）に基づき測定される算術平均粗さである。粗さ曲線用の基準長さｌｒ（カットオフ値λｃ）は０．８ｍｍとした。
【００１３】
［第１の態様］
本発明の間仕切りシステムの第１の態様は、反射散乱型の透明な間仕切りパネルと、間仕切りパネルの第１の面側に設置された光源とを備えた間仕切りシステムである。
【００１４】
図１は、本発明の間仕切りシステムの第１の態様の一例を示す概略構成図である。
間仕切りシステムは、反射散乱型の間仕切りパネル１と、間仕切りパネル１の第１の面Ａ側の空間に設置された第１の光源１０１と、間仕切りパネル１の第２の面Ｂ側の空間に設置された第２の光源１０２と、間仕切りパネル１を建築物の内部空間に設置するための設置部材（図示略）とを備える。
【００１５】
＜反射散乱型の間仕切りパネル＞
反射散乱型の間仕切りパネルは、第１の面およびこれとは反対側の第２の面を有する間仕切りパネルであり、第１の面側の光景を第２の面側の観察者に視認可能に透過し、第２の面側の光景を第１の面側の観察者に視認可能に透過し、かつ光源から照射された光の一部を光源と同じ側に散乱光として反射する間仕切りパネルである。
【００１６】
図１は、反射散乱型の間仕切りパネルの一例を示す層構成図である。
間仕切りパネル１は、第１の透明基材１０と、第２の透明基材２０との間に、光散乱シート３０が配置されたものである。
第１の透明基材１０と光散乱シート３０とは、接着層１２によって接着され、第２の透明基材２０と光散乱シート３０とは、接着層２２によって接着されている。
【００１７】
（透明基材）
第１の透明基材１０および第２の透明基材２０（以下、まとめて透明基材とも記す。）の材料としては、ガラス、透明樹脂等が挙げられる。各透明基材の材料は、同じものであってもよく、異なるものであってもよい。
【００１８】
透明基材を構成するガラスとしては、ソーダライムガラス、無アルカリガラス、ホウケイ酸ガラス、アルミノケイ酸塩ガラス等が挙げられる。ガラスからなる透明基材には、耐久性を向上させるために、化学強化、物理強化、ハードコーティング等を施してもよい。
【００１９】
透明基材を構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられ、耐候性や透明性の点から、ポリカーボネート、ポリエステル、シクロオレフィンポリマーが好ましい。
【００２０】
透明基材としては、複屈折がないものが好ましい。
透明基材の厚さは、基材としての耐久性が保たれる厚さであればよい。透明基材の厚さは、たとえば、０．０１ｍｍ以上であってよく、０．０５ｍｍ以上であってよく、０．１ｍｍ以上であってよい。また、透明基材の厚さは、たとえば、１０ｍｍ以下であってよく、５ｍｍ以下であってよく、０．５ｍｍ以下であってよく、０．３ｍｍ以下であってよく、０．１５ｍｍ以下であってよい。
【００２１】
（接着層）
接着層１２および接着層２２（以下、まとめて接着層とも記す。）の材料としては、エチレン−酢酸ビニル共重合体、ポリビニルブチラール、粘着剤（アクリル系粘着剤等）、光硬化性樹脂組成物、熱硬化性樹脂組成物、熱可塑性樹脂組成物等が挙げられる。各接着層の材料は、同じものであってもよく、異なるものであってもよい。
【００２２】
熱可塑性樹脂組成物に含まれる熱可塑性樹脂としては、たとえば、可塑化ポリビニルアセタール、可塑化ポリ塩化ビニル、飽和ポリエステル、可塑化飽和ポリエステル、ポリウレタン、可塑化ポリウレタン、エチレン−酢酸ビニル共重合体、エチレン−エチルアクリレート共重合体等が挙げられる。
【００２３】
接着層の厚さは、接着層としての機能が保たれる厚さであればよく、たとえば、０．０１〜１．５ｍｍが好ましく、０．０５〜１ｍｍがより好ましい。
【００２４】
（光散乱シート）
光散乱シート３０は、第１の透明フィルム３１と；第１の透明フィルム３１の表面に設けられた、表面に不規則な凹凸構造を有する第１の透明層３２と；第１の透明層３２の凹凸構造側の面に沿うように形成された、入射した光の一部を透過する反射膜３３と；反射膜３３の表面を覆うように設けられた、屈折率が第１の透明層３２の屈折率と同じ第２の透明層３４と；第２の透明層３４の表面に設けられた第２の透明フィルム３５とを有する。
【００２５】
（透明フィルム）
第１の透明フィルム３１および第２の透明フィルム３５（以下、まとめて透明フィルムとも記す。）は、透明樹脂フィルムであってもよく、薄いガラスフィルムであってもよい。各透明フィルムの材料は、同じものであってもよく、異なるものであってもよい。
【００２６】
透明樹脂フィルムを構成する透明樹脂としては、ポリカーボネート、ポリエステル（ポリエチレンテレフタレート、ポリエチレンナフタレート等）、トリアセチルセルロース、シクロオレフィンポリマー、ポリメチルメタクリレート等が挙げられる。
【００２７】
透明フィルムの厚さは、ロールツーロールプロセスを適用できる厚さが好ましく、たとえば、０．０１〜０．５ｍｍが好ましく、０．０５〜０．３ｍｍがより好ましく、０．２ｍｍ以下がさらに好ましい。
【００２８】
（透明層）
第１の透明層３２および第２の透明層３４（以下、まとめて透明層とも記す。）は、透明樹脂層であることが好ましい。各透明層の材料は、同じものであってもよく、異なるものであってもよく、同じものが好ましい。
【００２９】
透明樹脂層を構成する透明樹脂としては、光硬化性樹脂（アクリル樹脂、エポキシ樹脂等）の硬化物、熱硬化性樹脂の硬化物、熱可塑性樹脂が好ましい。透明樹脂層を構成する透明樹脂のイエローインデックスは、間仕切りパネルの透明感を維持する点から、１０以下が好ましく、５以下がより好ましい。
【００３０】
透明層の厚さ（凹凸構造が形成された部分を除く）は、ロールツーロールプロセスにて形成しやすい厚さであればよく、たとえば、０．５〜５０μｍが好ましい。
透明層の透過率は、５０〜１００％が好ましく、７５〜１００％がより好ましく、９０〜１００％がさらに好ましい。
【００３１】
第１の透明層３２の表面に形成された不規則な凹凸構造の算術平均粗さＲａは、０．０１〜２０μｍが好ましく、０．０５〜１０μｍがより好ましい。算術平均粗さＲａが該範囲内であれば、散乱光の視野角が広く、正反射光を直接見ずに散乱光を視認でき、凹凸構造による粒状感が抑えられる。算術平均粗さＲａが１０μｍ以下であれば、間仕切りパネル１の向こう側の光景を見るときに凹凸構造が邪魔にならずより好ましい。
また、透明性の観点から、第１の透明層の屈折率と第２の透明層の屈折率は実質的に同じとする。具体的には、第１の透明層の屈折率と第２の透明層の屈折率の差ΔｎがΔｎ×Ｒａ／０．５９≦１．０であるとよいことから、Δｎは±０．０５以内であると好ましく、±０．０２以内であるとより好ましく、±０．０１以内であるとさらに好ましい。左辺は、可視光線の代表的な波長であるｄ線付近の光路差を示しており、それが１波長分以内に収まることで、透過光の散乱を適切な量に抑えることができることを表している。
【００３２】
（反射膜）
反射膜３３は、反射膜３３に入射した光の一部を透過し、他の一部を反射するものであればよい。反射膜３３としては、金属膜、半導体膜、誘電体単層膜、誘電体多層膜、これらの組み合わせ等が挙げられる。
【００３３】
金属膜、半導体膜を構成する金属としては、アルミニウム、銀、ニッケル、クロム、タングステン、ケイ素等が挙げられ、アルミニウム、銀、または、それらが主成分である合金が好ましい。
誘電体膜を構成する誘電体としては、金属酸化物、金属窒化物等が挙げられる。
反射膜３３としては、金属薄膜、または、酸化物膜、金属薄膜、酸化物膜の順に積層された膜構成のものが好ましい。
【００３４】
反射膜３３の厚さは、第１の透明層３２の表面に形成された不規則な凹凸構造の算術平均粗さＲａによる機能を妨げずに活かすことができる点から、１〜１００ｎｍが好ましく、４〜２５ｎｍがより好ましい。
反射膜３３の反射率は、充分な輝度が得られる範囲としては、５％以上が好ましく、１５％以上がより好ましく、３０％以上がさらに好ましい。
【００３５】
（光散乱シートの製造方法）
光散乱シート３０の製造方法の一例を図２を参照しながら説明する。
【００３６】
図２（ａ）に示すように、第１の透明フィルム３１の表面に、光硬化性樹脂３６を塗布し、不規則な凹凸構造が表面に形成されたモールド６１を、凹凸構造が光硬化性樹脂３６に接するように、光硬化性樹脂３６の上に重ねる。
【００３７】
第１の透明フィルム３１の側から光（紫外線等）を照射し、光硬化性樹脂３６を硬化させて、モールド６１の不規則な凹凸構造が表面に転写された第１の透明層３２を形成した後、図２（ｂ）に示すように、モールド６１を剥離する。
【００３８】
図２（ｃ）に示すように、第１の透明層３２の表面に金属を物理蒸着し、金属薄膜からなる反射膜３３を形成する。
【００３９】
図２（ｄ）に示すように、反射膜３３の表面に光硬化性樹脂３７を塗布し、光硬化性樹脂３７の上に第２の透明フィルム３５を重ねる。
第１の透明フィルム４１の側または第２の透明フィルム３５の側から光（紫外線等）を照射し、光硬化性樹脂３７を硬化させて、第２の透明層３４を形成することによって、光散乱シート３０を得る。
【００４０】
モールド６１としては、不規則な凹凸構造が表面に形成された樹脂フィルム、金属板等が挙げられる。不規則な凹凸構造が表面に形成された樹脂フィルムとしては、微粒子を含む樹脂フィルム、サンドブラスト処理された樹脂フィルム等が挙げられる。
光硬化性樹脂の塗布方法としては、ダイコート法、ブレードコート法、グラビアコート法、スピンコート法、インクジェット法、スプレーコート法等が挙げられる。
物理蒸着方法としては、真空蒸着法、スパッタリング法等が挙げられる。
【００４１】
（反射散乱型の間仕切りパネルの光学特性）
間仕切りパネル１の透過率は、１％以上であり、５％以上が好ましく、１０％以上がより好ましく、１５％以上がさらに好ましい。間仕切りパネル１の透過率が前記下限値以上であれば、観察者側から見て間仕切りパネル１の向こう側に見える光景の視認性がよい。
間仕切りパネル１の透過率は、８５％以下が好ましく、７５％以下がより好ましく、７０％以下がさらに好ましい。間仕切りパネル１の透過率に関しては、反射膜３３の膜厚や膜の種類を変更することにより、変化させることができる。間仕切りパネル１の透過率が前記上限値以下であり、かつ、反射率の１割以上の入射光量が吸収されれば、透明性がより向上するため、好ましい。
【００４２】
間仕切りパネル１の拡散反射率は、１％以上であり、５％以上が好ましく、１０％以上がより好ましく、２０％以上がさらに好ましい。間仕切りパネル１の拡散反射率が前記下限値以上であれば、光源から間仕切りパネル１に光を照射した際に、光源側の観察者に対して間仕切りパネル１の向こう側の光景を視認できなくすることができる。
間仕切りパネル１の拡散反射率は、９０％以下が好ましく、８０％以下がより好ましい。間仕切りパネル１の拡散反射率が前記上限値以下であれば、観察者側から見て間仕切りパネル１の向こう側に見える光景の視認性がさらによい。間仕切りパネル１の拡散反射率は、反射膜３３の膜厚や膜の種類を変更することにより変化させることができる。第１の透明層３２の凹凸構造を変化させて、拡散反射率を変化させることもできる。同一の膜の場合、凹凸構造の平均アスペクト比を大きくすると、拡散反射率が大きくなる。
【００４３】
間仕切りパネル１の後方ヘーズは、１０％以上が好ましく、２０％以上がより好ましく、３０％以上がさらに好ましく、５０％以上がさらに好ましい。間仕切りパネル１の後方ヘーズが前記下限値以上であれば、光源から間仕切りパネル１に光を照射した際に、光源側の観察者に対して間仕切りパネル１の向こう側の光景をより視認できなくすることができる。
【００４４】
間仕切りパネル１の前方ヘーズは、５０％以下であり、３０％以下が好ましく、２０％以下がより好ましく、１０％以下がさらに好ましい。間仕切りパネル１の前方ヘーズが前記上限値以下であれば、観察者側から見て間仕切りパネル１の向こう側に見える光景の視認性がよい。
間仕切りパネル１の前方ヘーズの下限値は、０％である。
前方ヘーズは、第１の透明層３２の凹凸構造が変化することにより変化する。同一の膜の場合、凹凸構造の平均アスペクト比を大きくすると、前方ヘーズが大きくなる。また、反射膜３３の膜厚を大きくすると前方ヘーズが大きくなる。また、反射膜３３の膜の膜厚や膜質の均一性を下げると前方ヘーズが大きくなる。また、反射膜３３の膜種を変更し、同一の反射率ながら、透過率を下げると前方ヘーズが小さくなる。また、第１の透明層３２と第２の透明層３４の屈折率差が大きくなると前方ヘーズが大きくなる。また、前方ヘーズを測定する際の入射方向に対し、反射膜３３と、該反射膜３３よりも透過側の部材とからなる部分の吸光係数を大きくすると前方ヘーズが小さくなる。
【００４５】
間仕切りパネル１における隣り合う各層（ただし、反射膜は除く。）間の屈折率差は、各層界面における反射率が０．５％以内に抑えられる点から、０．２以内が好ましく、各層界面での反射率が０．１％程度となる点から、０．１以内がより好ましい。
【００４６】
＜光源、照明＞
第１の光源１０１は、間仕切りパネル１の第１の面Ａ側の空間を明るくするために設置された照明２０１よりも強い光を照射できるものであればよい。
第２の光源１０２は、間仕切りパネル１の第２の面Ｂ側の空間を明るくするために設置された照明２０２よりも強い光を照射できるものであればよい。
【００４７】
第１の光源１０１および第２の光源１０２（以下、まとめて光源とも記す。）としては、全光束が５００ルーメン以上の光源が好ましく、全光束が１０００ルーメン以上の光源がより好ましく、全光束が３０００ルーメン以上の光源がさらに好ましい。
光源としては、投光器（サーチライト、フラッドライト、スポットライト等）、プロジェクタ、間接照明用照明機器等が挙げられる。
【００４８】
光源としては、安価な点からは、投光器が好ましい。
光源としては、間仕切りパネル１の形状に合わせて矩形の光を照射できる点、および間仕切りパネル１に映像光を投射することによって間仕切りパネル１に情報、絵柄等を表示できる点からは、プロジェクタが好ましく、１０〜９０ｃｍの至近距離からの映像光の投射が可能であり、間仕切りシステムの省スペース化が図れる点、および高い入射角からの映像光の投射が可能であり、光源と間仕切りパネル１との間を人が横切りにくい点から、短焦点プロジェクタがより好ましい。
【００４９】
光源から間仕切りパネル１までの水平方向距離は、間仕切りシステムの省スペース化が図れる点、および光源と間仕切りパネル１との間を人が横切りにくい点から、５〜０．１ｍが好ましく、２．５〜０．２ｍがより好ましく、１〜０．３ｍがさらに好ましい。
【００５０】
照明２０１および照明２０２（以下、まとめて照明とも記す。）としては、全光束が１００００ルーメン以下の照明が好ましく、全光束が５０００ルーメン以下の照明がより好ましく、全光束が１０００ルーメン以下の照明がさらに好ましい。
照明としては、蛍光灯、白熱電球、ＬＥＤ電球、有機ＥＬ照明等が挙げられる。
照明から間仕切りパネル１までの水平方向距離は、光源から間仕切りパネル１までの水平方向距離よりも離れていることが好ましい。
【００５１】
＜透視／非透視の切り替え＞
以下、間仕切りシステムの第１の態様における、観察者が間仕切りパネルの向こう側の光景を視認できる状態と、観察者が間仕切りパネルの向こう側の光景を視認できない状態との切り替え（以下、透視／非透視の切り替えとも記す。）について説明する。
【００５２】
図１に示すように、光源から間仕切りパネル１に光を照射しない場合、照明２０１から照射された光Ｉ１で間仕切りパネル１の第１の面Ａ側の空間が照らされることによって生じた第１の面Ａ側の光景の光Ｓ１は、第１の面Ａから間仕切りパネル１に入射した後、反射膜３３において一部が散乱し、残りは透過する。これにより、第２の面Ｂ側の観察者Ｙが第１の面Ａ側の光景を視認できる。同じく、照明２０２から照射された光Ｉ２で間仕切りパネル１の第２の面Ｂ側の空間が照らされることによって生じた第２の面Ｂ側の光景の光Ｓ２は、第２の面Ｂから間仕切りパネル１に入射した後、反射膜３３において一部が散乱し、残りは透過する。これにより、第１の面Ａ側の観察者Ｘが第２の面Ｂ側の光景を視認できる。
【００５３】
図３に示すように、第１の光源１０１から間仕切りパネル１に光を照射し、第２の光源１０２から間仕切りパネル１に光を照射しない場合、第１の光源１０１から照射され、間仕切りパネル１の第１の面Ａから入射した光Ｌ１の一部が、反射膜３３において散乱することによって、第１の光源１０１と同じ側にいる観察者Ｘに散乱光Ｄ１として視認される。この際、間仕切りパネル１を透過した第２の面Ｂ側の光景の光Ｓ２は、散乱光Ｄ１よりも弱い光であるため、第１の面Ａ側の観察者Ｘが第２の面Ｂ側の光景を視認できない。一方、散乱光Ｄ１は、第２の面Ｂ側の観察者Ｙには視認されないため、第２の面Ｂ側の観察者Ｙは、第１の面Ａ側の光景を視認できる。
【００５４】
図４に示すように、第２の光源１０２から間仕切りパネル１に光を照射し、第１の光源１０１から間仕切りパネル１に光を照射しない場合、第２の光源１０２から照射され、間仕切りパネル１の第２の面Ｂから入射した光Ｌ２の一部が、反射膜３３において散乱することによって、第２の光源１０２と同じ側にいる観察者Ｙに散乱光Ｄ２として視認される。この際、間仕切りパネル１を透過した第１の面Ａ側の光景の光Ｓ１は、散乱光Ｄ２よりも弱い光であるため、第２の面Ｂ側の観察者Ｙが第１の面Ａ側の光景を視認できない。一方、散乱光Ｄ２は、第１の面Ａ側の観察者Ｘには視認されないため、第１の面Ａ側の観察者Ｘは、第２の面Ｂ側の光景を視認できる。
【００５５】
図５に示すように、両光源から間仕切りパネル１に光を照射した場合、第１の光源１０１から照射され、間仕切りパネル１の第１の面Ａから入射した光Ｌ１の一部が、反射膜３３において散乱することによって、第１の光源１０１と同じ側にいる観察者Ｘに散乱光Ｄ１として視認される。この際、間仕切りパネル１を透過した第２の面Ｂ側の光景の光Ｓ２は、散乱光Ｄ１よりも弱い光であるため、第１の面Ａ側の観察者Ｘが第２の面Ｂ側の光景を視認できない。同じく、第２の光源１０２から照射され、間仕切りパネル１の第２の面Ｂから入射した光Ｌ２の一部が、反射膜３３において散乱することによって、第２の光源１０２と同じ側にいる観察者Ｙに散乱光Ｄ２として視認される。この際、間仕切りパネル１を透過した第１の面Ａ側の光景の光Ｓ１は、散乱光Ｄ２よりも弱い光であるため、第２の面Ｂ側の観察者Ｙが第１の面Ａ側の光景を視認できない。
【００５６】
間仕切りシステムにおける透視／非透視の切り替えの基本的な原理は、間仕切りパネルの向こう側の光景を透視させたくない観察者側の明るさを、透視させたい観察者側の明るさより明るくすることにある。
【００５７】
第１の面Ａ側の観察者Ｘが第２の面Ｂ側の光景を確実に視認できなくなる点から、第１の光源１０１の全光束ΦＬ１と第２の面Ｂ側の照明のうち最も間仕切りパネル１に近い照明２０２（すなわち、間仕切りパネル１に最も影響を与える照明）の全光束ΦＩ２と、間仕切りパネル１の非拡散透過率Ｔ０とが、下式（１）の関係を満足することが好ましく、下式（１−１）の関係を満足することがより好ましい。下式は、第１の光源１０１が、間仕切りパネル１越しの第２の面Ｂ側の照明２０２よりも充分に明るいことを意味し、下式を満足することによって、観察者Ｘが散乱光Ｄ１を充分に視認できるとともに、間仕切りパネル１を透過した第２の面Ｂ側の光景の光Ｓ２を充分に視認できなくなる。
ΦＬ１≧ΦＩ２×（Ｔ０／１００）／２  ・・・（１）
ΦＬ１≧ΦＩ２×（Ｔ０／１００）  ・・・（１−１）
【００５８】
また、全光束ΦＬ１と全光束ΦＩ２と非拡散透過率Ｔ０と間仕切りパネル１の拡散反射率Ｒｄとが、下式（１−２）の関係を満足することが好ましい。
ΦＬ１≧ΦＩ２×（（Ｔ０／１００）／Ｒｄ）／２  ・・・（１−２）
【００５９】
また、全光束ΦＬ１と全光束ΦＩ２と非拡散透過率Ｔ０と拡散反射率Ｒｄと、間仕切りパネル１から観察者Ｘまでの水平方向の距離Ｚ０と、間仕切りパネル１から第２の面Ｂ側の照明のうち最も間仕切りパネル１に近い照明２０２までの水平方向の距離Ｚ１とが、下式（１−３）の関係を満足することが好ましい。
ΦＩ２≦ΦＬ１×（Ｒｄ／（Ｔ０／１００））×（１＋Ｚ１／Ｚ０）４  ・・・（１−３）
【００６０】
第２の面Ｂ側の観察者Ｙが第１の面Ａ側の光景を確実に視認できなくなる点から、第２の光源１０２の全光束ΦＬ２と第１の面Ａ側の照明のうち最も間仕切りパネル１に近い照明２０１（すなわち、間仕切りパネル１に最も影響を与える照明）の全光束ΦＩ１と、間仕切りパネル１の非拡散透過率Ｔ０とが、下式（２）の関係を満足することが好ましく、下式（２−１）の関係を満足することがより好ましい。下式は、第２の光源１０２が、間仕切りパネル１越しの第１の面Ａ側の照明２０１よりも充分に明るいことを意味し、下式を満足することによって、観察者Ｙが散乱光Ｄ２を充分に視認できるとともに、間仕切りパネル１を透過した第１の面Ａ側の光景の光Ｓ１を充分に視認できなくなる。
ΦＬ２≧ΦＩ１×（Ｔ０／１００）／２  ・・・（２）
ΦＬ２≧ΦＩ１×（Ｔ０／１００）  ・・・（２−１）
【００６１】
また、全光束ΦＬ２と全光束ΦＩ１と非拡散透過率Ｔ０と間仕切りパネル１の拡散反射率Ｒｄとが、下式（２−２）の関係を満足することが好ましい。
ΦＬ２≧ΦＩ１×（（Ｔ０／１００）／Ｒｄ）／２  ・・・（２−２）
【００６２】
また、全光束ΦＬ２と全光束ΦＩ１と非拡散透過率Ｔ０と拡散反射率Ｒｄと、間仕切りパネル１から観察者Ｙまでの水平方向の距離Ｚ２と、間仕切りパネル１から第１の面Ａ側の照明のうち最も間仕切りパネル１に近い照明２０１までの水平方向の距離Ｚ３とが、下式（２−３）の関係を満足することが好ましい。
ΦＩ１≦ΦＬ２×（Ｒｄ／（Ｔ０／１００））×（１＋Ｚ３／Ｚ２）４  ・・・（２−３）
【００６３】
＜作用機序＞
以上説明した反射散乱型の間仕切りパネルを用いた間仕切りシステムの第１の態様にあっては、間仕切りパネルの透過率が１％以上であり、前方ヘーズが５０％以下であるため、観察者側から見て間仕切りパネルの向こう側に見える光景の視認性がよい。また、間仕切りパネルの拡散反射率が１％以上であるため、光源から間仕切りパネルに光を照射することによって、光源側の観察者に対して間仕切りパネルの向こう側の光景を視認できなくすることができる。また、間仕切りパネルの第１の面側および第２の面側に光源を設置した場合は、第１の面側の観察者および第２の面側の観察者のうち、間仕切りパネルの向こう側の光景を視認できなくする観察者を選択することができる。このように、間仕切りシステムの第１の態様によれば、光源からの光照射の有無によって透視／非透視の切り替えを自在に行うことができる。
また、以上説明した間仕切りシステムの第１の態様にあっては、調光シートまたはＥＬ素子が不要であるため、比較的安価である。
また、以上説明した間仕切りシステムの第１の態様にあっては、調光層またはＥＬ素子を駆動および制御するための制御装置を間仕切りパネル内に設ける必要がないため、間仕切りパネルのデザインの制限が少ない。
また、以上説明した間仕切りシステムの第１の態様にあっては、間仕切りパネルへの電源供給や間仕切りパネルの操作のための配線を設ける必要がないため、間仕切りパネルの設置作業が比較的簡便であり、また、間仕切りの設置箇所の制限が少ない。
【００６４】
＜他の実施形態＞
なお、本発明の間仕切りシステムの第１の態様は、図１の間仕切りシステムに限定はされない。以下、図１の間仕切りシステムと同じ構成のものについては同じ符号を付し、説明を省略する。
【００６５】
間仕切りシステムの第１の態様は、光源として少なくとも第１の光源が設置されていればよく、第２の光源は設置されなくてもよい。
また、間仕切りパネル１の第２の面Ｂ側に光吸収部材を配置してもよい。第２の光源１０２から照射され、間仕切りパネル１の反射膜３３にて生じた散乱光Ｄ２は、光吸収部材に吸収されるため、第２の面Ｂ側の観察者Ｙに視認されない。そのため、第２の面Ｂ側の観察者Ｙは、第１の面Ａ側の光景を視認でき、第２の光源１０２が設置されているにもかかわらず、第２の光源１０２が設置されていない状況と類似の状況となる。光吸収部材を配置する代わりに、第２の透明基材２０に光吸収材料を含ませてもよい。
【００６６】
反射散乱型の間仕切りパネルは、図６に示すように、第１の透明基材１０を省略した間仕切りパネル１ａであってもよい。間仕切りパネル１ａの具体例としては、たとえば、第２の透明基材２０が既存の間仕切りパネル等である例、すなわち光散乱シート３０を、既存の間仕切りパネル等に貼り付けた例が挙げられる。
また、図１の間仕切りパネル１において、第２の透明基材２０を省略したものであってもよい。
また、２枚のガラス板と、ガラス板間に空隙が形成されるようにガラス板の周縁部に介在配置された枠状のスペーサとを有する複層ガラスにおいて、一方のガラス板の内面に、光散乱シート３０を貼り付けたものであってもよい。
【００６７】
反射散乱型の間仕切りパネルは、図７に示すように、第１の透明基材１０および第２の透明基材２０を省略した間仕切りパネル１ｂ、すなわち光散乱シート３０そのものであってもよい。間仕切りパネル１ｂは、接着層を用いて既存の間仕切りパネル等への貼り付けが可能である。また、間仕切りパネル１ｂは、変形させることが可能であり、曲面を有する間仕切りパネルを形成するのに向いている。
また、図７の間仕切りパネル１ｂにおいて、第１の透明フィルム３１および第２の透明フィルム３５を第１の透明基材１０および第２の透明基材２０に置き換えたものであってもよい。
【００６８】
反射散乱型の間仕切りパネルにおいては、第１の透明層の表面の凹凸構造が規則的な凹凸構造（マイクロレンズアレイ、ホログラム等）であってもよい。ただし、下記の理由から、第１の透明層の表面の凹凸構造は、不規則な凹凸構造であることが好ましい。
規則的な凹凸構造の表面に反射膜を形成した場合、光の回折によって観察者側から見て間仕切りパネルの向こう側に見える光景に色むらが生じ、視認性が損なわれる。一方、不規則な凹凸構造の表面に反射膜を形成した場合、光の回折や分光が起こりにくく、これらの問題が生じにくい。そのため、間仕切りパネルを見る方向や場所、入射する光の向きによって色目が変わるような現象が抑えられ、また、間仕切りパネルの向こう側に見える光景の分光が抑えられる。その結果、間仕切りパネルの向こう側に見える光景の視認性や、光景や映像の色再現性に優れ、視線を邪魔しない透明スクリーンとしての性質を備えることができる。
【００６９】
［第２の態様］
本発明の間仕切りシステムの第２の態様は、透過散乱型の透明な間仕切りパネルと、間仕切りパネルの第１の面側に設置された光源とを備えた間仕切りシステムである。
【００７０】
図８は、本発明の間仕切りシステムの第２の態様の一例を示す概略構成図である。
間仕切りシステムは、透過散乱型の間仕切りパネル２と、間仕切りパネル２の第１の面Ａ側の空間に設置された第１の光源１０１と、間仕切りパネル２の第２の面Ｂ側の空間に設置された第２の光源１０２と、間仕切りパネル２を建築物の内部空間に設置するための設置部材（図示略）とを備える。
【００７１】
＜透過散乱型の間仕切りパネル＞
透過散乱型の間仕切りパネルは、第１の面およびこれとは反対側の第２の面を有する間仕切りパネルであり、第１の面側の光景を第２の面側の観察者に視認可能に透過し、第２の面側の光景を第１の面側の観察者に視認可能に透過し、かつ光源から照射された光の一部を光源とは反対側に散乱光として透過する間仕切りパネルである。
【００７２】
図８は、透過散乱型の間仕切りパネルの一例を示す層構成図である。以下、図１の間仕切りパネル１と同じ構成のものについては同じ符号を付し、説明を省略する。
間仕切りパネル２は、第１の透明基材１０と、第２の透明基材２０との間に、光散乱シート４０が配置されたものである。
第１の透明基材１０と光散乱シート４０とは、接着層１２によって接着され、第２の透明基材２０と光散乱シート４０とは、接着層２２によって接着されている。
【００７３】
（光散乱シート）
光散乱シート４０は、第１の透明フィルム４１と；第１の透明フィルム４１の表面に設けられた光散乱層４９と；光散乱層４９の表面に設けられた第２の透明フィルム４５とを有する。
【００７４】
（透明フィルム）
第１の透明フィルム４１および第２の透明フィルム４５（以下、まとめて透明フィルムとも記す。）としては、上述した光散乱シート３０の透明フィルムと同様のものが挙げられ、好ましい態様も同様である。
【００７５】
（光散乱層）
光散乱層４９は、たとえば、透明樹脂、光散乱材料、および必要に応じて光吸収材料を含む。
光散乱層４９に含まれる透明樹脂としては、光硬化性樹脂（アクリル樹脂、エポキシ樹脂等）の硬化物、熱硬化性樹脂の硬化物、熱可塑性樹脂が挙げられる。
【００７６】
光散乱材料としては、酸化チタン（屈折率：２．５〜２．７）、酸化ジルコニウム（屈折率：２．４）、酸化アルミニウム（屈折率：１．７６）等の高屈折率材料の微粒子；ポーラスシリカ（屈折率：１．３以下）、中空シリカ（屈折率：１．３以下）等の低屈折率材料の微粒子；前記透明樹脂との相溶性の低い屈折率が異なる樹脂材料；結晶化した１μｍ以下の樹脂材料等が挙げられる。
【００７７】
光散乱材料の濃度は、０．０１〜５体積％が好ましく、０．０５〜１体積％がより好ましい。
光散乱材料が微粒子である場合、微粒子の平均粒子径は、０．０５〜１μｍが好ましく、０．１５〜０．８μｍがより好ましい。微粒子の平均粒子径が、散乱する光の波長と同程度かやや小さいと、前方に散乱される確率が大きくなり、入射した光を屈折させずに散乱させる機能が強くなる。その結果、観察者側から見て間仕切りパネル２の向こう側に見える光景の歪みを抑制し、急激に光量を変化させることがないため、光景の視認性が向上する。
【００７８】
光散乱層４９が光吸収材料を含む場合、間仕切りパネル２内を不要な迷光として伝搬する光の一部を吸収することができ、散乱される光が減少する。そのため、間仕切りパネル２において白濁して見える現象を抑えることができる。また、観察者側から見て間仕切りパネル２の向こう側に見える光景のコントラストも向上し、光景の視認性も向上する。特に、外光によって１００ルクス以上の環境が、観察者の視線の中に存在する場合には、前記効果を得やすい。
光吸収材料としては、カーボンブラック、チタンブラック等が挙げられる。
光吸収材料の濃度は、０．０１〜５体積％が好ましく、０．１〜３体積％がより好ましい。
【００７９】
光散乱層４９の厚さは、１０〜２００μｍが好ましい。光散乱層４９の厚さが１０μｍ以上であれば、光散乱の効果が充分に発揮される。光散乱層４９の厚さが２００μｍ以下であれば、ロールツーロールプロセスにて光散乱層４９を形成しやすい。
【００８０】
（透過散乱型の間仕切りパネルの光学特性）
間仕切りパネル２の透過率は、１％以上であり、５％以上が好ましく、１０％以上がより好ましく、３５％以上がさらに好ましい。間仕切りパネル２の透過率が前記下限値以上であれば、観察者側から見て間仕切りパネル２の向こう側に見える光景の視認性がよい。透過率は、光散乱層４９の光散乱材料の濃度を変化させるか、光吸収材料の濃度を変化させることにより制御できる。
間仕切りパネル２の透過率の上限値は、１００％であるが、光源側の観察者側から見て間仕切りパネル２の向こう側に見える光景の視認性を向上させるには、８５％以下であると好ましく、７５％以下であるとより好ましく、７０％以下であるとさらに好ましい。
【００８１】
間仕切りパネル２の拡散反射率は、２０％未満が好ましく、１０％以下がより好ましく、５％以下がさらに好ましく、２．５％以下がさらに好ましい。間仕切りパネル２の拡散反射率が前記上限値以下であれば、光源から間仕切りパネル２に光を照射した際に、光源側の観察者側から見て間仕切りパネル２の向こう側に見える光景の視認性がよい。間仕切りパネル２の拡散反射率は、光散乱層４９の光散乱材料の濃度を向上させると向上し、光吸収材料の濃度を向上させると、低下する場合もあれば、向上する場合もある。
間仕切りパネル２の拡散反射率の下限値は、０．１％である。
【００８２】
間仕切りパネル２の後方ヘーズは、特に制限はされない。
【００８３】
間仕切りパネル２の前方ヘーズは、９％以上であり、１２％以上が好ましく、１５％以上がより好ましい。間仕切りパネル２の前方ヘーズが前記下限値以上であれば、光源から間仕切りパネル２に光を照射した際に、光源とは反対側の観察者に対して間仕切りパネル２の向こう側の光景を視認できなくすることができる。
間仕切りパネル２の前方ヘーズは、５０％以下であり、３０％以下がより好ましく、２０％以下がさらに好ましい。間仕切りパネル２の前方ヘーズが前記上限値以下であれば、観察者側から見て間仕切りパネル２の向こう側に見える光景の視認性がよい。
間仕切りパネル２の前方ヘーズは、光散乱層４９の光散乱材料の濃度を向上させると向上し、光吸収材料の濃度を向上させると、光吸収材料の屈折率と顔料の場合はそのサイズによって、低下する場合もあれば、向上する場合もある。
【００８４】
間仕切りパネル２における隣り合う各層間の屈折率差は、各層界面における反射率が０．５％以内に抑えられる点から、０．２以内が好ましく、各層界面での反射率が０．１％程度となる点から、０．１以内がより好ましい。
【００８５】
＜光源、照明＞
光源としては、第１の態様と同様のものが挙げられ、好ましい態様も同様である。
照明としては、第１の態様と同様のものが挙げられ、好ましい態様も同様である。
【００８６】
＜透視／非透視の切り替え＞
以下、間仕切りシステムの第２の態様における透視／非透視の切り替えについて説明する。
【００８７】
図８に示すように、光源から間仕切りパネル２に光を照射しない場合、照明２０１から照射された光Ｉ１で間仕切りパネル２の第１の面Ａ側の空間が照らされることによって生じた第１の面Ａ側の光景の光Ｓ１は、第１の面Ａから間仕切りパネル２に入射した後、光散乱層４９において一部が散乱し、残りは透過する。これにより、第２の面Ｂ側の観察者Ｙが第１の面Ａ側の光景を視認できる。同じく、照明２０２から照射された光Ｉ２で間仕切りパネル２の第２の面Ｂ側の空間が照らされることによって生じた第２の面Ｂ側の光景の光Ｓ２は、第２の面Ｂから間仕切りパネル２に入射した後、光散乱層４９において一部が散乱し、残りは透過する。これにより、第１の面Ａ側の観察者Ｘが第２の面Ｂ側の光景を視認できる。
【００８８】
図９に示すように、第１の光源１０１から間仕切りパネル２に光を照射し、第２の光源１０２から間仕切りパネル２に光を照射しない場合、第１の光源１０１から照射され、間仕切りパネル２の第１の面Ａから入射した光Ｌ１の一部が、光散乱層４９において散乱することによって、第１の光源１０１とは反対側にいる観察者Ｙに散乱光Ｄ１として視認される。この際、間仕切りパネル２を透過した第１の面Ａ側の光景の光Ｓ１は、散乱光Ｄ１よりも弱い光であるため、第２の面Ｂ側の観察者Ｙが第１の面Ａ側の光景を視認できない。一方、散乱光Ｄ１は、第１の面Ａ側の観察者Ｘには視認されないため、第１の面Ａ側の観察者Ｘは、第２の面Ｂ側の光景を視認できる。
【００８９】
図１０に示すように、第２の光源１０２から間仕切りパネル２に光を照射し、第１の光源１０１から間仕切りパネル２に光を照射しない場合、第２の光源１０２から照射され、間仕切りパネル２の第２の面Ｂから入射した光Ｌ２の一部が、光散乱層４９において散乱することによって、第２の光源１０２とは反対側にいる観察者Ｘに散乱光Ｄ２として視認される。この際、間仕切りパネル２を透過した第２の面Ｂ側の光景の光Ｓ２は、散乱光Ｄ２よりも弱い光であるため、第１の面Ａ側の観察者Ｘが第２の面Ｂ側の光景を視認できない。一方、散乱光Ｄ２は、第２の面Ｂ側の観察者Ｙには視認されないため、第２の面Ｂ側の観察者Ｙは、第１の面Ａ側の光景を視認できる。
【００９０】
図１１に示すように、両光源から間仕切りパネル２に光を照射した場合、第１の光源１０１から照射され、間仕切りパネル２の第１の面Ａから入射した光Ｌ１の一部が、光散乱層４９において散乱することによって、第１の光源１０１とは反対側にいる観察者Ｙに散乱光Ｄ１として視認される。この際、間仕切りパネル２を透過した第１の面Ａ側の光景の光Ｓ１は、散乱光Ｄ１よりも弱い光であるため、第２の面Ｂ側の観察者Ｙが第１の面Ａ側の光景を視認できない。同じく、第２の光源１０２から照射され、間仕切りパネル２の第２の面Ｂから入射した光Ｌ２の一部が、光散乱層４９において散乱することによって、第２の光源１０２とは反対側にいる観察者Ｘに散乱光Ｄ２として視認される。この際、間仕切りパネル２を透過した第２の面Ｂ側の光景の光Ｓ２は、散乱光Ｄ２よりも弱い光であるため、第１の面Ａ側の観察者Ｘが第２の面Ｂ側の光景を視認できない。
【００９１】
第２の面Ｂ側の観察者Ｙが第１の面Ａ側の光景を確実に視認できなくなる点から、第１の光源１０１の全光束ΦＬ１と第１の面Ａ側の照明のうち最も間仕切りパネル２に近い照明２０１（すなわち、間仕切りパネル２に最も影響を与える照明）の全光束ΦＩ１とが、下式（３）の関係を満足することが好ましく、下式（３−１）の関係を満足することがより好ましい。下式は、第１の光源１０１が、第１の面Ａ側の照明２０１よりも充分に明るいことを意味し、下式を満足することによって、観察者Ｙが散乱光Ｄ１を充分に視認できるとともに、間仕切りパネル２を透過した第１の面Ａ側の光景の光Ｓ１を充分に視認できなくなる。
ΦＬ１≧ΦＩ１／１０  ・・・（３）
ΦＬ１≧ΦＩ１／５  ・・・（３−１）
【００９２】
また、全光束ΦＬ１と全光束ΦＩ１と間仕切りパネル２の非拡散透過率Ｔ０と拡散透過率Ｔｄとが、下式（３−２）の関係を満足することが好ましい。
ΦＬ１≧ΦＩ１×（Ｔ０／Ｔｄ）／１０  ・・・（３−２）
【００９３】
また、全光束ΦＬ１と全光束ΦＩ１と非拡散透過率Ｔ０と拡散透過率Ｔｄと、間仕切りパネル１から観察者Ｙまでの水平方向の距離Ｚ２と、間仕切りパネル１から第１の面Ａ側の照明のうち最も間仕切りパネル１に近い照明２０１までの水平方向の距離Ｚ３とが、下式（３−３）の関係を満足することが好ましい。
ΦＩ１≦ΦＬ１×Ｔｄ／Ｔ０×（１＋Ｚ３／Ｚ２）４  ・・・（３−３）
【００９４】
第１の面Ａ側の観察者Ｘが第２の面Ｂ側の光景を確実に視認できなくなる点から、第２の光源１０２の全光束ΦＬ２と第２の面Ｂ側の照明のうち最も間仕切りパネル２に近い照明２０２（すなわち、間仕切りパネル２に最も影響を与える照明）の全光束ΦＩ２とが、下式（４）の関係を満足することが好ましく、下式（４−１）の関係を満足することがより好ましい。下式は、第２の光源１０２が、第２の面Ｂ側の照明２０２よりも充分に明るいことを意味し、下式を満足することによって、観察者Ｘが散乱光Ｄ２を充分に視認できるとともに、間仕切りパネル２を透過した第２の面Ｂ側の光景の光Ｓ２を充分に視認できなくなる。
ΦＬ２≧ΦＩ２／１０  ・・・（４）
ΦＬ２≧ΦＩ２／５  ・・・（４−１）
【００９５】
また、全光束ΦＬ２と全光束ΦＩ２と間仕切りパネル２の非拡散透過率Ｔ０と拡散透過率Ｔｄとが、下式（４−２）の関係を満足することが好ましい。
ΦＬ２≧ΦＩ２×（Ｔ０／Ｔｄ）／１０  ・・・（４−２）
【００９６】
また、全光束ΦＬ２と全光束ΦＩ２と非拡散透過率Ｔ０と拡散透過率Ｔｄと、間仕切りパネル１から観察者Ｘまでの水平方向の距離Ｚ０と、間仕切りパネル１から第２の面Ｂ側の照明のうち最も間仕切りパネル１に近い照明２０２までの水平方向の距離Ｚ１とが、下式（４−３）の関係を満足することが好ましい。
ΦＩ２≦ΦＬ２×Ｔｄ／Ｔ０×（１＋Ｚ１／Ｚ０）４  ・・・（４−３）
【００９７】
＜作用機序＞
以上説明した透過散乱型の間仕切りパネルを用いた間仕切りシステムの第２の態様にあっては、間仕切りパネルの透過率が１％以上であり、前方ヘーズが、５０％以下であるため、観察者側から見て間仕切りパネルの向こう側に見える光景の視認性がよい。また、間仕切りパネルの前方ヘーズが９％以上であるため、光源から間仕切りパネルに光を照射することによって、光源とは反対側の観察者に対して間仕切りパネルの向こう側の光景を視認できなくすることができる。また、間仕切りパネルの第１の面側および第２の面側に光源を設置した場合は、第１の面側の観察者および第２の面側の観察者のうち、間仕切りパネルの向こう側の光景を視認できなくする観察者を選択することができる。このように、間仕切りシステムの第２の態様によれば、光源からの光照射によって透視／非透視の切り替えを自在に行うことができる。
また、以上説明した間仕切りシステムの第２の態様にあっては、調光シートまたはＥＬ素子が不要であるため、比較的安価である。
また、以上説明した間仕切りシステムの第２の態様にあっては、調光層またはＥＬ素子を駆動および制御するための制御装置を間仕切りパネル内に設ける必要がないため、間仕切りパネルのデザインの制限が少ない。
また、以上説明した間仕切りシステムの第２の態様にあっては、間仕切りパネルへの電源供給や間仕切りパネルの操作のための配線を設ける必要がないため、間仕切りパネルの設置作業が比較的簡便であり、また、間仕切りの設置箇所の制限が少ない。
【００９８】
＜他の実施形態＞
なお、本発明の間仕切りシステムの第２の態様は、図８の間仕切りシステムに限定はされない。以下、図８の間仕切りシステムと同じ構成のものについては同じ符号を付し、説明を省略する。
【００９９】
間仕切りシステムの第２の態様は、光源として少なくとも第１の光源が設置されていればよく、第２の光源は設置されなくてもよい。
【０１００】
透過散乱型の間仕切りパネルは、図８の間仕切りパネル２において、第１の透明基材１０を省略した間仕切りパネルであってもよい。該間仕切りパネルの具体例としては、たとえば、第２の透明基材２０が既存の間仕切りパネル等である例、すなわち光散乱シート４０を、既存の間仕切りパネル等に貼り付けた例が挙げられる。
また、図８の間仕切りパネル２において、第２の透明基材２０を省略したものであってもよい。
また、２枚のガラス板と、ガラス板間に空隙が形成されるようにガラス板の周縁部に介在配置された枠状のスペーサとを有する複層ガラスにおいて、一方のガラス板の内面に、光散乱シート４０を貼り付けたものであってもよい。
【０１０１】
透過散乱型の間仕切りパネルは、図８の間仕切りパネル２において、第１の透明基材１０および第２の透明基材２０を省略した間仕切りパネル、すなわち光散乱シート４０そのものであってもよい。該間仕切りパネルは、接着層を用いて既存の間仕切りパネル等への貼り付けが可能である。また、該間仕切りパネルは、変形させることが可能であり、曲面を有する間仕切りパネルを形成するのに向いている。
また、該間仕切りパネルにおいて、第１の透明フィルム４１および第２の透明フィルム４５を第１の透明基材１０および第２の透明基材２０に置き換えたものであってもよい。
【０１０２】
光散乱層は、図８の光散乱層４９に限定されず、透明層と、透明層の内部に互いに平行に、かつ所定の間隔で配置された複数の光散乱部とからなる光散乱層であってもよい。    図１２は、透過散乱型の間仕切りパネルの他の例を示す層構成図である。
間仕切りパネル２ｃは、第１の透明基材１０と、第２の透明基材２０との間に、光散乱シート４０ｃが配置されたものである。
第１の透明基材１０と光散乱シート４０ｃとは、接着層１２によって接着され、第２の透明基材２０と光散乱シート４０ｃとは、接着層２２によって接着されている。
【０１０３】
光散乱シート４０ｃは、第１の透明フィルム４１と；第１の透明フィルム４１の表面に設けられた透明層４２と；透明層４２の内部に互いに平行に、かつ所定の間隔で配置された、面方向に沿って延びる、長手方向に直交する方向の断面が直角三角形の複数の光散乱部４３と；透明層４２の表面に設けられた第２の透明フィルム４５とを有する。以下、このようにストライプ状に一次元方向に延びる複数の光散乱部４３が形成されている構造をルーバー構造と記載する場合がある。
【０１０４】
光散乱部４３は、たとえば、透明樹脂、光散乱材料、および必要に応じて光吸収材料を含む。光散乱材料、光吸収材料としては、前述したものと同等のものを用いることができる。
【０１０５】
光散乱部４３の間隔（隣り合う光散乱部４３の中心間距離）は、１０〜２５０μｍが好ましく、１０〜１００μｍがより好ましい。光散乱部４３の間隔が１０μｍ以上であれば、光散乱部４３を形成しやすい。光散乱部４３の間隔が２５０μｍ以下であれば、光散乱部４３を視認しにくい。
【０１０６】
光散乱部４３の幅（光散乱シート４０ｃの面方向かつ光散乱部４３の長手方向に直交する方向）は、光散乱部４３の間隔の１０〜７０％が好ましく、２５〜５０％がより好ましい。光散乱部４３の幅が光散乱部４３の間隔の１０％以上であれば、光散乱部４３を形成しやすい。光散乱部４３の幅が光散乱部４３の間隔の７０％以下であれば、光散乱部４３の透過率、および観察者側から見て間仕切りパネル２の向こう側に見える光景の視認性が向上する。
【０１０７】
光散乱部４３の幅に対する光散乱部４３の高さ（光散乱シート４０ｃの面方向に直交する方向）の比、すなわちアスペクト比は、光景の直進光の透過率を維持しながら、斜入射する光源からの光を高ゲインにて散乱させる点から、１以上が好ましく、１．５以上がより好ましく、２以上がさらに好ましい。
【０１０８】
光散乱部４３の長手方向に直交する断面の形状は、図示例のような直角三角形に限定されず、他の三角形、台形、釣鐘形状等であってもよい。また、２次元的にストライプ構造を持っていてもよく、ストライプではなく、ピラー構造等であってもよい。
【０１０９】
［第３の態様］
本発明の間仕切りシステムの第３の態様は、反射、透過両方向散乱型の透明な間仕切りパネルと、間仕切りパネルの第１の面側に設置された光源とを備えた間仕切りシステムである。
【０１１０】
図１３は、本発明の間仕切りシステムの第３の態様の一例を示す概略構成図である。
間仕切りシステムは、反射、透過両方向散乱型の間仕切りパネル３と、間仕切りパネル３の第１の面Ａ側の空間に設置された第１の光源１０１と、間仕切りパネル３を建築物の内部空間に設置するための設置部材（図示略）とを備える。
【０１１１】
＜反射、透過両方向散乱型の間仕切りパネル＞
反射、透過両方向散乱型の間仕切りパネルは、第１の面およびこれとは反対側の第２の面を有する間仕切りパネルであり、第１の面側の光景を第２の面側の観察者に視認可能に透過し、第２の面側の光景を第１の面側の観察者に視認可能に透過し、かつ光源から照射された光の一部を光源側に散乱光として反射し、さらに光源から照射された光の一部を光源とは反対側に散乱光として透過する間仕切りパネルである。
【０１１２】
図１３は、透過散乱型の間仕切りパネルの一例を示す層構成図である。以下、図１の間仕切りパネル１または図８の間仕切りパネル２と同じ構成のものについては同じ符号を付し、説明を省略する。
間仕切りパネル３は、第１の透明基材１０と、第２の透明基材２０との間に、光散乱シート５０が配置されたものである。
第１の透明基材１０と光散乱シート５０とは、接着層１２によって接着され、第２の透明基材２０と光散乱シート５０とは、接着層２２によって接着されている。
【０１１３】
（光散乱シート）
光散乱シート５０は、第１の透明フィルム５１と；第１の透明フィルム５１の表面に設けられた、表面に不規則な凹凸構造を有する第１の透明層５２と；第１の透明層５２の凹凸構造側の面に沿うように形成された、入射した光の一部を透過する反射膜５３と；反射膜５３の表面を覆うように設けられた、屈折率が第１の透明層５２の屈折率と同じ第２の透明層５４と；第２の透明層５４の表面に設けられた光散乱層５９と；光散乱層５９の表面に設けられた第２の透明フィルム５５とを有する。
【０１１４】
（透明フィルム）
第１の透明フィルム５１および第２の透明フィルム５５（以下、まとめて透明フィルムとも記す。）としては、上述した光散乱シート３０の透明フィルムと同様のものが挙げられ、好ましい態様も同様である。
【０１１５】
（透明層）
第１の透明層５２および第２の透明層５４（以下、まとめて透明層とも記す。）としては、上述した光散乱シート３０の透明層と同様のものが挙げられ、好ましい態様も同様である。
【０１１６】
（反射膜）
反射膜５３としては、上述した光散乱シート３０の反射膜３３と同様のものが挙げられ、好ましい態様も同様である。
【０１１７】
（光散乱層）
光散乱層５９としては、上述した光散乱シート４０の光散乱層４９と同様のものが挙げられ、好ましい態様も同様である。
【０１１８】
（反射、透過両方向散乱型の間仕切りパネルの光学特性）
間仕切りパネル３の透過率は、１％以上であり、５％以上が好ましく、１０％以上がより好ましく、２０％以上がさらに好ましい。間仕切りパネル３の透過率が前記下限値以上であれば、観察者側から見て間仕切りパネル３の向こう側に見える光景の視認性がよい。
間仕切りパネル３の透過率は、８５％以下が好ましく、７５％以下がより好ましく、７０％以下がさらに好ましい。間仕切りパネル３の透過率が前記上限値以下であり、かつ、反射率の１割以上の入射光量が吸収されれば、透明性がより向上するため、好ましい。透過率は、第１の態様および第２の態様のいずれか一方、もしくは、両方の手法にて制御可能である。
【０１１９】
間仕切りパネル３の拡散反射率は、１％以上であり、５％以上が好ましく、１０％以上がより好ましく、２０％以上がさらに好ましい。間仕切りパネル３の拡散反射率が前記下限値以上であれば、光源から間仕切りパネル３に光を照射した際に、光源側の観察者に対して間仕切りパネル３の向こう側の光景を視認できなくすることができる。
間仕切りパネル３の拡散反射率は、９０％以下が好ましく、８０％以下がより好ましく、５０％以下がさらに好ましい。間仕切りパネル３の拡散反射率が前記上限値以下であれば、間仕切りパネル３へ、直接照明を照射しない場合の透明性がより向上する。拡散反射率は、第１の態様および第２の態様のいずれか一方、もしくは、両方の手法にて制御可能である。
【０１２０】
間仕切りパネル３の後方ヘーズは、１０％以上が好ましく、２０％以上がより好ましく、３０％以上がさらに好ましく、５０％以上がさらに好ましい。間仕切りパネル３の後方ヘーズが前記下限値以上であれば、光源から間仕切りパネル３に光を照射した際に、光源側の観察者に対して間仕切りパネル３の向こう側の光景をより視認できなくすることができる。
間仕切りパネル３の後方ヘーズは、９０％以下が好ましく、８０％以下がより好ましい。間仕切りパネル３の後方ヘーズが前記上限値以下であれば、観察者側から見て間仕切りパネル３の向こう側に見える光景の視認性がさらによい。後方ヘーズは、第１の態様の手法、もしくは、光拡散材料の濃度を制御することで、制御可能である。
【０１２１】
間仕切りパネル３の前方ヘーズは、９％以上であり、１２％以上が好ましく、１５％以上がより好ましい。間仕切りパネル３の前方ヘーズが前記下限値以上であれば、光源から間仕切りパネル３に光を照射した際に、光源とは反対側の観察者に対して間仕切りパネル３の向こう側の光景を視認できなくすることができる。
間仕切りパネル３の前方ヘーズは、５０％以下であり、３０％以下がより好ましい。間仕切りパネル３の前方ヘーズが前記上限値以下であれば、観察者側から見て間仕切りパネル３の向こう側に見える光景の視認性がよい。前方ヘーズは、第１の態様および第２の態様のいずれか一方、もしくは、両方の手法にて制御可能である。
【０１２２】
間仕切りパネル３における隣り合う各層（ただし、反射膜は除く。）間の屈折率差は、各層界面における反射率が０．５％以内に抑えられる点から、０．２以内が好ましく、各層界面での反射率が０．１％程度となる点から、０．１以内がより好ましい。
【０１２３】
＜光源、照明＞
光源としては、第１の態様と同様のものが挙げられ、好ましい態様も同様である。
照明としては、第１の態様と同様のものが挙げられ、好ましい態様も同様である。
【０１２４】
＜透視／非透視の切り替え＞
以下、間仕切りシステムの第３の態様における透視／非透視の切り替えについて説明する。
【０１２５】
図１３に示すように、第１の光源１０１から間仕切りパネル３に光を照射しない場合、照明２０１から照射された光Ｉ１で間仕切りパネル３の第１の面Ａ側の空間が照らされることによって生じた第１の面Ａ側の光景の光Ｓ１は、第１の面Ａから間仕切りパネル３に入射した後、反射膜５３および光散乱層５９において一部が散乱し、残りは透過する。これにより、第２の面Ｂ側の観察者Ｙが第１の面Ａ側の光景を視認できる。同じく、照明２０２から照射された光Ｉ２で間仕切りパネル３の第２の面Ｂ側の空間が照らされることによって生じた第２の面Ｂ側の光景の光Ｓ２は、第２の面Ｂから間仕切りパネル３に入射した後、光散乱層５９および反射膜５３において一部が散乱し、残りは透過する。これにより、第１の面Ａ側の観察者Ｘが第２の面Ｂ側の光景を視認できる。
【０１２６】
図１４に示すように、第１の光源１０１から間仕切りパネル３に光を照射した場合、第１の光源１０１から照射され、間仕切りパネル３の第１の面Ａから入射した光Ｌ１の一部が、反射膜５３において散乱することによって、第１の光源１０１と同じ側にいる観察者Ｘに散乱光Ｄ１として視認される。この際、間仕切りパネル３を透過した第２の面Ｂ側の光景の光Ｓ２は、散乱光Ｄ１よりも弱い光であるため、第１の面Ａ側の観察者Ｘが第２の面Ｂ側の光景を視認できない。
さらに、反射膜５３を透過した光Ｌ１の一部が、光散乱層５９において散乱することによって、第１の光源１０１とは反対側にいる観察者Ｙに散乱光Ｄ１’として視認される。この際、間仕切りパネル３を透過した第１の面Ａ側の光景の光Ｓ１は、散乱光Ｄ１’よりも弱い光であるため、第２の面Ｂ側の観察者Ｙが第１の面Ａ側の光景を視認できない。
【０１２７】
第１の面Ａ側の観察者Ｘが第２の面Ｂ側の光景を確実に視認できなくなる点から、第１の光源１０１の全光束ΦＬ１と第２の面Ｂ側の照明のうち最も間仕切りパネル３に近い照明２０２（すなわち、間仕切りパネル３に最も影響を与える照明）の全光束ΦＩ２と、間仕切りパネル３の非拡散透過率Ｔ０とが、下式（１）の関係を満足することが好ましく、下式（１−１）の関係を満足することがより好ましい。下式は、第１の光源１０１が、間仕切りパネル３越しの第２の面Ｂ側の照明２０２よりも充分に明るいことを意味し、下式を満足することによって、観察者Ｘが散乱光Ｄ１を充分に視認できるとともに、間仕切りパネル３を透過した第２の面Ｂ側の光景の光Ｓ２を充分に視認できなくなる。
ΦＬ１≧ΦＩ２×（Ｔ０／１００）／２  ・・・（１）
ΦＬ１≧ΦＩ２×（Ｔ０／１００）  ・・・（１−１）
【０１２８】
また、全光束ΦＬ１と全光束ΦＩ２と非拡散透過率Ｔ０と間仕切りパネル１の拡散反射率Ｒｄとが、下式（１−２）の関係を満足することが好ましい。
ΦＬ１≧ΦＩ２×（（Ｔ０／１００）／Ｒｄ）／２  ・・・（１−２）
【０１２９】
また、全光束ΦＬ１と全光束ΦＩ２と非拡散透過率Ｔ０と拡散反射率Ｒｄと、間仕切りパネル１から観察者Ｘまでの水平方向の距離Ｚ０と、間仕切りパネル１から第２の面Ｂ側の照明のうち最も間仕切りパネル１に近い照明２０２までの水平方向の距離Ｚ１とが、下式（１−３）の関係を満足することが好ましい。
ΦＩ２≦ΦＬ１×（Ｒｄ／（Ｔ０／１００））×（１＋Ｚ１／Ｚ０）４  ・・・（１−３）
【０１３０】
第２の面Ｂ側の観察者Ｙが第１の面Ａ側の光景を確実に視認できなくなる点から、第１の光源１０１の全光束ΦＬ１と第１の面Ａ側の照明のうち最も間仕切りパネル３に近い照明２０１（すなわち、間仕切りパネル３に最も影響を与える照明）の全光束ΦＩ１とが、下式（３）の関係を満足することが好ましく、下式（３−１）の関係を満足することがより好ましい。下式は、第１の光源１０１が、第１の面Ａ側の照明２０１よりも充分に明るいことを意味し、下式を満足することによって、観察者Ｙが散乱光Ｄ１’を充分に視認できるとともに、間仕切りパネル３を透過した第１の面Ａ側の光景の光Ｓ１を充分に視認できなくなる。
ΦＬ１≧ΦＩ１／１０  ・・・（３）
ΦＬ１≧ΦＩ１／５  ・・・（３−１）
【０１３１】
また、全光束ΦＬ１と全光束ΦＩ１と間仕切りパネル２の非拡散透過率Ｔ０と拡散透過率Ｔｄとが、下式（３−２）の関係を満足することが好ましい。
ΦＬ１≧ΦＩ１×（Ｔ０／Ｔｄ）／１０  ・・・（３−２）
【０１３２】
また、全光束ΦＬ１と全光束ΦＩ１と非拡散透過率Ｔ０と拡散透過率Ｔｄと、間仕切りパネル１から観察者Ｙまでの水平方向の距離Ｚ２と、間仕切りパネル１から第１の面Ａ側の照明のうち最も間仕切りパネル１に近い照明２０１までの水平方向の距離Ｚ３とが、下式（３−３）の関係を満足することが好ましい。
ΦＩ１≦ΦＬ１×Ｔｄ／Ｔ０×（１＋Ｚ３／Ｚ２）４  ・・・（３−３）
【０１３３】
＜作用機序＞
以上説明した反射、透過両方向散乱型の間仕切りパネルを用いた間仕切りシステムの第３の態様にあっては、間仕切りパネルの透過率が１％以上であり、前方ヘーズが５０％以下であるため、観察者側から見て間仕切りパネルの向こう側に見える光景の視認性がよい。また、間仕切りパネルの拡散反射率が１％以上であるため、光源から間仕切りパネルに光を照射することによって、光源側の観察者に対して間仕切りパネルの向こう側の光景を視認できなくすることができる。また、間仕切りパネルの前方ヘーズが９％以上であるため、光源から間仕切りパネルに光を照射することによって、光源とは反対側の観察者に対して間仕切りパネルの向こう側の光景を視認できなくすることができる。このように、間仕切りシステムの第３の態様によれば、光源からの光照射によって透視／非透視の切り替えを行うことができる。
また、以上説明した間仕切りシステムの第３の態様にあっては、調光シートまたはＥＬ素子が不要であるため、比較的安価である。
また、以上説明した間仕切りシステムの第３の態様にあっては、調光層またはＥＬ素子を駆動および制御するための制御装置を間仕切りパネル内に設ける必要がないため、間仕切りパネルのデザインの制限が少ない。
また、以上説明した間仕切りシステムの第３の態様にあっては、間仕切りパネルへの電源供給や間仕切りパネルの操作のための配線を設ける必要がないため、間仕切りパネルの設置作業が比較的簡便であり、また、間仕切りの設置箇所の制限が少ない。
【０１３４】
＜他の実施形態＞
なお、本発明の間仕切りシステムの第３の態様は、図１３の間仕切りシステムに限定はされない。以下、図１３の間仕切りシステムと同じ構成のものについては同じ符号を付し、説明を省略する。
【０１３５】
反射、透過両方向散乱型の間仕切りパネルは、図１３の間仕切りパネル３において、第１の透明基材１０を省略したものであってもよい。該間仕切りパネルの具体例としては、たとえば、第２の透明基材２０が既存の間仕切りパネル等である例、すなわち光散乱シート５０を、既存の間仕切りパネル等に貼り付けた例が挙げられる。
また、図１３の間仕切りパネル３において、第２の透明基材２０を省略したものであってもよい。
また、２枚のガラス板と、ガラス板間に空隙が形成されるようにガラス板の周縁部に介在配置された枠状のスペーサとを有する複層ガラスにおいて、一方のガラス板の内面に、光散乱シート５０を貼り付けたものであってもよい。
【０１３６】
反射、透過両方向散乱型の間仕切りパネルは、図１３の間仕切りパネル３において、第１の透明基材１０および第２の透明基材２０を省略したもの、すなわち光散乱シート５０そのものであってもよい。該間仕切りパネルは、接着層を用いて既存の間仕切りパネル等への貼り付けが可能である。また、該間仕切りパネルは、変形させることが可能であり、曲面を有する間仕切りパネルを形成するのに向いている。
また、図１３の間仕切りパネル３において、第１の透明フィルム４１および第２の透明フィルム４５を省略したものであってもよい。
【０１３７】
反射、透過両方向散乱型の間仕切りパネルの他の例を以下に示す。
反射、透過両方向散乱型の他の間仕切りパネルは、第１の透明基材と、第２の透明基材との間に、反射、透過両方向散乱型の他の光散乱シートが配置されたものである。
第１の透明基材と光散乱シートとは、接着層によって接着され、第２の透明基材と光散乱シートとは、接着層によって接着されている。
【０１３８】
反射、透過両方向散乱型の他の光散乱シートは、第１の透明フィルムと；第１の透明フィルムの表面に形成された、入射した光の一部を透過する平坦な反射膜と；反射膜の表面に設けられた光散乱層と；光散乱層の表面に設けられた第２の透明フィルムとを有する。
【実施例】
【０１３９】
以下に実施例を用いて本発明をさらに詳しく説明するが、本発明はこれら実施例に限定されるものではない。
例１、２、３は実施例であり、例４、５は比較例である。
【０１４０】
（光景視認性）
観察者Ｘは、間仕切りパネルの第１の面Ａを、真正面かつ３ｍの距離から観察した。観察者Ｙは、間仕切りパネルの第２の面Ｂを、真正面かつ３ｍの距離から観察した。各観察者から見て間仕切りパネルの向こう側に見える光景の視認性を、下記の基準にて評価した。
○：観察者から見て間仕切りパネルの向こう側に見える光景を視認できる。
×：観察者から見て間仕切りパネルの向こう側に見える光景を視認できない。
【０１４１】
（例１）
透明なポリエチレンテレフタレート（以下、ＰＥＴと記す。）フィルム（東洋紡社製、コスモシャイン（登録商標）Ａ４３００、厚さ：１００μｍ）の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布した。
不規則な凹凸構造が表面に形成された白色ＰＥＴフィルム（東レ社製、Ｅ２０、算術平均粗さＲａ：０．２３μｍ）を、凹凸構造が紫外線硬化性樹脂に接するように、紫外線硬化性樹脂の上に重ねた。
【０１４２】
透明ＰＥＴフィルムの側から１０００ｍＪの紫外線を照射し、紫外線硬化性樹脂を硬化させて、白色ＰＥＴフィルムの不規則な凹凸構造が表面に転写された第１の透明層を形成した後、白色ＰＥＴフィルムを剥離した。
第１の透明層の表面に、アルミニウムを真空蒸着法によって物理蒸着し、アルミニウム薄膜（厚さ：１２ｎｍ）からなる反射膜を形成した。
【０１４３】
反射膜の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布し、紫外線硬化性樹脂の上に透明ＰＥＴフィルム（厚さ：１００μｍ）を重ねた。
１０００ｍＪの紫外線を照射し、紫外線硬化性樹脂を硬化させて、第２の透明層を形成することによって、例１の光散乱シートを得た。
【０１４４】
ソーダライムガラス板（松浪硝子社製、厚さ：３ｍｍ）、ポリビニルブチラール（以下、ＰＶＢと記す。）フィルム（Ｓｏｌｕｔｉａ社製  Ｓａｆｌｅｘ  ＲＫ１１ｌ、厚さ：３７５μｍ）、例１の光散乱シート、ＰＶＢフィルム（厚さ：３７５μｍ）、ソーダライムガラス板（厚さ：３ｍｍ）の順に積層し、真空加熱圧着を行い、例１の反射散乱型の間仕切りパネルを得た。例１の間仕切りパネルの光学特性を表１に示す。
【０１４５】
第１の光源１０１として、短焦点プロジェクタ（ＲＩＣＯＨ社製、ＰＪ  ＷＸ４１４１ＮＩ、全光束ΦＬ１：３３００ルーメン）を用意した。
第１の光源１０１に最も近い部分における、間仕切りパネル１の第１の面Ａへの光の入射角が２６度となるように、かつ第１の光源１０１から間仕切りパネル１までの水平方向距離が１２ｃｍとなるように、第１の光源１０１を間仕切りパネル１の第１の面Ａ側に設置した。
【０１４６】
まず、室内の照明（蛍光灯、全光束ΦＩ１、ΦＩ２：１００００ルーメン、間仕切りパネル１までの水平方向距離：２ｍ）の元で光景視認性を評価した。結果を表１に示す。
ついで、間仕切りパネル１に第１の光源１０１から光を照射した際の光景視認性を評価した。結果を表１に示す。
【０１４７】
（例２）
紫外線硬化性樹脂（日立化成社製、ヒタロイド（登録商標）７９８１、比重１．１）に、酸化チタン微粒子（平均粒子径：０．２μｍ、比重４．２）を０．１体積％となるように混合したペーストを用意した。
透明ＰＥＴフィルム（東洋紡社製、コスモシャイン（登録商標）Ａ４３００、厚さ：７５μｍ）の表面に、ペーストをブレードコート法によって厚さが５μｍとなるように塗布した。ペーストの上に透明ＰＥＴフィルム（厚さ：７５μｍ）を重ねた。
紫外線を照射し、ペーストを硬化させて、例２の光散乱シートを得た。
【０１４８】
ソーダライムガラス板（松浪硝子社製、厚さ：３ｍｍ）、ＰＶＢフィルム（Ｓｏｌｕｔｉａ社製  Ｓａｆｌｅｘ  ＲＫ１１ｌ、厚さ：３７５μｍ）、例２の光散乱シート、ＰＶＢフィルム（厚さ：３７５μｍ）、ソーダライムガラス板（厚さ：３ｍｍ）の順に積層し、真空加熱圧着を行い、例２の透過散乱型の間仕切りパネルを得た。例２の間仕切りパネルの光学特性を表１に示す。
【０１４９】
例１の反射散乱型の間仕切りパネルの代わりに例２の透過散乱型の間仕切りパネルを用いた以外は、例１と同様にして光景視認性を評価した。結果を表１に示す。
【０１５０】
（例３）
透明ＰＥＴフィルム（東洋紡社製、コスモシャイン（登録商標）Ａ４３００、厚さ：１００μｍ）の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布した。
不規則な凹凸構造が表面に形成された白色ＰＥＴフィルム（東レ社製、Ｅ２０、算術平均粗さＲａ：０．２３μｍ）を、凹凸構造が紫外線硬化性樹脂に接するように、紫外線硬化性樹脂の上に重ねた。
【０１５１】
透明ＰＥＴフィルムの側から１０００ｍＪの紫外線を照射し、紫外線硬化性樹脂を硬化させて、白色ＰＥＴフィルムの不規則な凹凸構造が表面に転写された第１の透明層を形成した後、白色ＰＥＴフィルムを剥離した。
第１の透明層の表面に、アルミニウムを真空蒸着法によって物理蒸着し、アルミニウム薄膜（厚さ：８ｎｍ）からなる反射膜を形成した。
【０１５２】
反射膜の表面に、紫外線硬化性樹脂（大阪ガスケミカル社製、オグソール（登録商標）ＥＡ−Ｆ５００３）１００質量部に対し、光開始剤（ＢＡＳＦ社製、イルガキュア（登録商標）９０７）を３質量部混合した溶液をダイコート法によって１０μｍの厚みに塗布し、紫外線硬化性樹脂の上に透明ＰＥＴフィルム（厚さ：１００μｍ）を重ねた。
１０００ｍＪの紫外線を照射し、紫外線硬化性樹脂を硬化させて、第２の透明層を形成した後、第２の透明層の表面の透明ＰＥＴフィルムを剥離した。
【０１５３】
紫外線硬化性樹脂（日立化成社製、ヒタロイド（登録商標）７９８１、比重１．１）に、酸化チタン微粒子（平均粒子径：０．２μｍ、比重４．２）を０．１体積％となるように混合したペーストを用意した。
第２の透明層の表面に、ペーストをブレードコート法によって厚さが５μｍとなるように塗布し、ペーストの上に透明ＰＥＴフィルム（厚さ：７５μｍ）を重ねた。
紫外線を照射し、ペーストを硬化させて、例３の光散乱シートを得た。
【０１５４】
ソーダライムガラス板（松浪硝子社製、厚さ：３ｍｍ）、ＰＶＢフィルム（Ｓｏｌｕｔｉａ社製  Ｓａｆｌｅｘ  ＲＫ１１ｌ、厚さ：３７５μｍ）、例３の光散乱シート、ＰＶＢフィルム（厚さ：３７５μｍ）、ソーダライムガラス板（厚さ：３ｍｍ）の順に積層し、真空加熱圧着を行い、例３の反射、透過両方向散乱型の間仕切りパネルを得た。例３の間仕切りパネルの光学特性を表１に示す。
【０１５５】
例１の反射散乱型の間仕切りパネルの代わりに例３の反射、透過両方向散乱型の間仕切りパネルを用いた以外は、例１と同様にして光景視認性を評価した。結果を表１に示す。
【０１５６】
（例４）
例４の間仕切りパネルとして、ソーダライムガラス板（松浪硝子社製、厚さ：３ｍｍ）を用意した。例４の間仕切りパネルの光学特性を表１に示す。
例１の反射散乱型の間仕切りパネルの代わりに例４の間仕切りパネルを用いた以外は、例１と同様にして光景視認性を評価した。結果を表１に示す。
【０１５７】
（例５）
例５の間仕切りパネルとして、サンドブラストによって作製されたすり板ガラス（算術平均粗さ：５μｍ）を用意した。例５の間仕切りパネルの光学特性を表１に示す。
例１の反射散乱型の間仕切りパネルの代わりに例５の間仕切りパネルを用いた以外は、例１と同様にして光景視認性を評価した。結果を表１に示す。
【０１５８】
【表１】
2016089534.tif 000003
【０１５９】
例１〜３の間仕切りパネルは、光源からの光照射の有無によって透視／非透視の切り替えを行うことができた。
例４の間仕切りパネルは、光源から光を照射しても、観察者に対して間仕切りパネルの向こう側の光景を視認できなくすることができなかった。
例５の間仕切りパネルは、光源からの光照射の有無にかかわらず、観察者から見て間仕切りパネルの向こう側に見える光景を視認できなかった。
【産業上の利用可能性】
【０１６０】
本発明の間仕切りパネルは、プライバシー保護、秘密保護、セキュリティ等のために、必要に応じて観察者に対して間仕切りパネルの向こう側の光景を視認できなくする間仕切りシステムに用いる間仕切りパネルとして有用である。
【符号の説明】
【０１６１】
１  間仕切りパネル
１ａ  間仕切りパネル
１ｂ  間仕切りパネル
２  間仕切りパネル
２ｃ  間仕切りパネル
３  間仕切りパネル
１０  第１の透明基材
１２  接着層
２０  第２の透明基材
２２  接着層
３０  光散乱シート
３１  第１の透明フィルム
３２  第１の透明層
３３  反射膜
３４  第２の透明層
３５  第２の透明フィルム
３６  光硬化性樹脂
３７  光硬化性樹脂
４０  光散乱シート
４０ｃ  光散乱シート
４１  第１の透明フィルム
４２  透明層
４３  光散乱部
４５  第２の透明フィルム
４９  光散乱層
５０  光散乱シート
５１  第１の透明フィルム
５２  第１の透明層
５３  反射膜
５４  第２の透明層
５５  第２の透明フィルム
５９  光散乱層
６１  モールド
１０１  第１の光源
１０２  第２の光源
２０１  照明
２０２  照明
Ａ  第１の面
Ｂ  第２の面
Ｄ１  散乱光
Ｄ１’  散乱光
Ｄ２  散乱光
Ｉ１  光
Ｉ２  光
Ｌ１  光
Ｌ２  光
Ｓ１  光
Ｓ２  光
Ｘ  観察者
Ｙ  観察者
【図１】
2016089534.tif 000004
【図２】
2016089534.tif 000005
【図３】
2016089534.tif 000006
【図４】
2016089534.tif 000007
【図５】
2016089534.tif 000008
【図６】
2016089534.tif 000009
【図７】
2016089534.tif 000010
【図８】
2016089534.tif 000011
【図９】
2016089534.tif 000012
【図１０】
2016089534.tif 000013
【図１１】
2016089534.tif 000014
【図１２】
2016089534.tif 000015
【図１３】
2016089534.tif 000016
【図１４】
2016089534.tif 000017